(57)【要約】  振動押洗機能付きのドラム式洗濯機であって、ドラム式洗濯機の扉の内側に振動押洗装置が設けられ、扉の下方に、振動押洗装置と扉とを連結する旋回機構を設けることで、振動押洗装置が扉に対して上下方向に９０度旋回されることができる。前記振動押洗装置が起立した時、振動押洗装置の軸線と扉とが平行になり、前記振動押洗装置が下げられた時、振動押洗装置の軸線と扉とが９０度の直角を成し、振動押洗装置がドラム内の下方に延びる。また、振動押洗装置の内部空間に機械振動子を設ける。振動押洗装置が下げられ、ドラム内に延びた時、振動子を起動し、振動押洗装置は、ドラム内の洗濯機に対して振動・押洗することで、洗浄効果を奏する。この振動押洗機能付きのドラム式洗濯機の構造によって、ドラム式洗濯機の洗濯時間を大幅短縮できる同時に、より良好な洗浄度および省エネルギーの効果を奏することができる。【選択図】図１
2021506534.tif 000002
【特許請求の範囲】
【請求項１】
振動押洗機能付きのドラム式洗濯機であって、外箱と、水槽周壁と、ドラムと、扉と、振動押洗装置、押洗装置旋回機構と、機械振動子と、押洗装置位置センサと、ドラムモータと、ドラム駆動装置と、給水弁と、排水弁と、制御部とを備え、扉の内側に振動押洗装置が設けられ、前記振動押洗装置は、旋回機構を介して扉と連結される、ことを特徴とする振動押洗機能付きのドラム式洗濯機。
【請求項２】
前記旋回機構により、振動押洗装置が扉に対して上下方向に９０度旋回され、
前記振動押洗装置が起立した時、振動押洗装置の軸線と扉とが平行になり、
前記振動押洗装置が下げられた時、振動押洗装置の軸線と扉とが９０度の直角を成し、振動押洗装置がドラム内の下方に延びる、ことを特徴とする請求項１に記載の振動押洗機能付きのドラム式洗濯機。
【請求項３】
前記旋回機構は、モータとウォームとウォームホイールとを備え、ウォームホイールはウォームと噛み合い、モータはウォームと連結され、振動押洗装置はウォームホイールと連結され、モータの駆動によって、ウォームが回転し、振動押洗装置が旋回する、ことを特徴とする請求項１に記載の振動押洗機能付きのドラム式洗濯機。
【請求項４】
前記振動押洗装置の内部空間に、機械振動子が設けられる、ことを特徴とする請求項１に記載の振動押洗機能付きのドラム式洗濯機。
【発明の詳細な説明】
【技術分野】
【０００１】
本発明は、洗濯機の製造分野に属し、具体的には、振動押洗機能付きのドラム式洗濯機に関する。
【背景技術】
【０００２】
既存のドラム式洗濯機は、主にドラムの周壁に設けられたリブ構造を介して洗濯物を一定の高さまで持ち上げた後に落下させ、洗濯物に対するはたき落とし又は摩擦の方式で洗浄を実現している。この方式は、時間がかかり、洗浄効果も良くないという欠点がある。このため、ドラム式洗濯機の新しい構造の開発は、洗濯機技術の分野に広く行われている。
【発明の概要】
【発明が解決しようとする課題】
【０００３】
本発明の目的は、従来の問題点を解決し、簡単かつ合理的な振動押洗機能付きのドラム式洗濯機の構造を提供することであり、前記振動押洗機能付きのドラム式洗濯機の構造は、押洗機能と振動機能とを統合した洗浄方式を採用している。
【課題を解決するための手段】
【０００４】
本発明は、上記の目的を達成するために、以下の技術的な手段を採用している。
【０００５】
振動押洗機能付きのドラム式洗濯機を提供し、振動押洗機能付きのドラム式洗濯機は、外箱と、水槽周壁と、ドラムと、扉と、振動押洗装置と、押洗装置旋回機構と、機械振動子と、押洗装置位置センサと、ドラムモータと、ドラム駆動装置と、給水弁と、排水弁と、制御部とを備える。また、扉の内側に振動押洗装置が設けられ、前記振動押洗装置が扉覗き窓の凹部に内蔵される、ことを特徴とする。
【０００６】
好ましくは、振動押洗装置は、旋回機構を介して扉と連結され、旋回機構により、振動押洗装置が扉に対して上下方向に９０度旋回され、
振動押洗装置が起立した時、振動押洗装置の軸線と扉とが平行になり、
振動押洗装置が下げられた時、振動押洗装置の軸線と扉とが９０度の直角を成し、振動押洗装置がドラム内の下方に延びる。
【０００７】
好ましくは、旋回機構は、モータと、ウォームと、ウォームホイールとを備え、ウォームはウォームホイールと噛み合い、モータはウォームと連結され、ウォームホイールは振動装置と連結され、モータの回転によって、振動押洗装置が旋回する。
【０００８】
好ましくは、振動押洗装置は、弾性部材を介してウォームホイールと連結され、振動押洗装置は大きな抵抗力を受けた時に弾性揺動することができる。
【０００９】
扉には、振動押洗装置位置センサが設けられ、位置センサのレベル信号は制御部の対応の入力端に入力され、振動押洗装置の旋回状態を正確に検知することを機能する。
【００１０】
好ましくは、振動押洗装置の内部空間に、機械振動子が設けられ、機械振動子の電源のオン／オフは、洗濯機の制御部によって制御され、振動押洗装置の機械振動子は、洗濯機に特別設計された振動子、または汎用の工業用振動子である。
【００１１】
好ましくは、振動押洗装置は、凸構造を有する複数の振動ヘッドを備える。
【００１２】
振動押洗機能付きのドラム式洗濯機の給水、排水、水位制御、衣服重量パラメーター、脱水度などの他の配置は、既存製品のドラム式洗濯機と概ね同じである。
【００１３】
振動押洗機能付きのドラム式洗濯機の洗濯過程は、既存製品のドラム式洗濯機と異なる。洗濯物の洗濯は、主にドラム内に延びる振動押洗装置によって行われ、ドラムの回転は、主に、洗濯およびすすぎ過程において洗濯物を翻転させ、最後脱水過程において脱水させるのに機能する。
【００１４】
振動押洗装置が直立垂直位置（起立位置）にある時にのみ、ドラムが回転されることができ、ドラムが回転を完全に停止した後にのみ、振動押洗装置が水平位置まで旋回され、ドラム内に延びるようになる。このように、振動押洗装置が水平位置になり、洗濯物を押し洗うこと、又は、振動することによって、洗濯物の洗濯を実現する。
【００１５】
振動押洗装置は、水中の洗濯物を一次振動押洗洗濯した後、振動押洗装置が自動的に上方へ旋回し（起立するような状態）、振動押洗装置が所定の位置（起立する状態の位置）に旋回した後、洗濯物が翻転・引っ繰り返されるように、ドラムが数回低速で回転する。
【００１６】
ドラムの数回低速回転が停止した後、振動押洗装置は、再び下げられ（水平位置になる）、振動する。このサイクルが繰り返され（プログラムの洗濯に従う）、洗濯物の洗濯プロセスが完了する。
【００１７】
洗濯プロセスが完了した後、洗濯機は、数回の排水、給水、ドラムの複数回間歇的な回転を行い、振動押洗装置も複数回の間歇的な旋回および振動を行い、洗濯物のすずき過程が完了する。
【００１８】
すずき過程が完了した後、振動押洗装置が上向きの位置（起立する状態）に維持され、ドラムが高速回転して洗濯物を脱水する。
【００１９】
脱水過程が完了した後、洗濯機は、プロセス完了ブザーが鳴り、この時、扉を開いて洗濯後の洗濯物を取り出すことができる。
【００２０】
本発明の有利な効果は以下である。
【００２１】
（１）本発明の振動押洗機能付きのドラム式洗濯機は、ドラム式洗濯機の洗浄度を向上させ、洗濯機の動作時間を短縮し、消費電力を低減し、かつ既存のドラム式洗濯機に比べ、より良好な洗浄度および省エネルギーの効果を奏することができる。
【００２２】
（２）従来のドラム式洗濯機は、内槽を回転させて洗濯物を一定の高さまで上昇させた後に落下することによって、洗濯効果を奏する。この場合、ドラムの直径は、洗濯物を必要な高さまで持ち上げるのに十分な大きさに至らなければならない。一方、本発明の振動押洗機能付きのドラム式洗濯機は、特定の構造により、洗濯物を振動押洗することで、洗浄効果を奏しているため、本発明の振動押洗機能付きのドラム式洗濯機は、ドラムの直径をある程度減小させることができ、その結果、ドラム式洗濯機全体の体積を減小し、重量の軽量化ができる。
【図面の簡単な説明】
【００２３】
【図１】本発明の構造特徴及び実施形態に係る構造を示す図。
【図２】本発明の振動押洗装置の起立時の構造を示す構造概念図。
【図３】本発明の振動押洗装置の水平に倒した状態を示す構造概念図。
【発明を実施するための形態】
【００２４】
以下、添付図面および実施形態を参照しながら、本発明の詳細を説明する。
【００２５】
図１〜図３に示すように、本発明の振動押洗機能付きのドラム式洗濯機は、外箱１と、水槽周壁２と、ドラム３と、扉４と、振動押洗装置５と、旋回機構６と、機械振動子（ｍｅｃｈａｎｉｃａｌ  ｖｉｂｒａｔｏｒ）７と、位置センサ８と、位置センサ９と、メインモータ１０と、ドラム駆動装置１１と、給水弁１２と、排水弁１３と、制御部１４とを備える。振動押洗装置５が扉４の内側に設けられ、且つ、扉４の覗き窓の凹部に内蔵されている。振動押洗装置は、旋回機構６を介して扉４と連結され、旋回機構６は、振動押洗装置５を扉に対して９０度旋回させることができる（図１、図２および図３を参照）。
【００２６】
旋回機構６は、モータ６−１、ウォーム６−２、およびウォームホイール６−３から構成され、ウォームホイール６−３とウォーム６−２とが噛み合われ、モータ６−１とウォーム６−２とが接続され、振動押洗装置５とウォームホイール６−３とが接続され、モータ６−１が一方向または逆方向に回転すると、ウォーム６−２およびウォームホイール６−３の伝達作用により、振動押洗装置５が上方向または下方向に旋回される（図２および図３を参照）。
【００２７】
旋回機構６は、ウォームギア（ウォーム・ウォームホイール）機構以外に、減速ステッピングモータ又は減速サーボモータを使用しても良く、この場合、減速ステッピングモータ又は減速サーボモータの回転軸を振動押洗装置５の回転軸に直結する。  
振動押洗装置５は、凸構造を有する複数の振動ヘッド５−１を備え、衣服と接触すると振動や押洗の効果が高まる。
【００２８】
振動押洗装置は、弾性部材６−４を介してウォームホイール６−３に連結されているので、振動押洗装置５は、大きな抵抗力を受けた時に弾性揺動することができる（図２および図３を参照）。
【００２９】
扉には、振動押洗装置の位置センサ８と振動押洗装置の位置センサ９とが設けられ、位置センサのレベル信号が制御１４の対応の入力端に入力され、振動押洗装置の旋回状態を正確に検知することを機能する。
【００３０】
振動押洗装置５の内部空間には、機械振動子７が設けられ、機械振動子の電源のオン／オフは、洗濯機の制御部１４によって制御され、振動押洗装置の機械振動子は、洗濯機のために特別設計された振動子であるが、汎用の工業用振動子であっても良い。
【００３１】
振動押洗機能付きのドラム式洗濯機の給水、排水、水位制御、衣服重量パラメーター、脱水度などの他の配置は、既存製品のドラム式洗濯機と概ね同じである。
【００３２】
振動押洗機能付きのドラム式洗濯機の洗濯過程は、既存製品のドラム式洗濯機と異なる。洗濯物の洗濯は、主に振動押洗装置によって行われ、ドラムの回転は主に、洗濯およびすすぎ過程において洗濯物を翻転させ、最後脱水過程において脱水させるために機能する。
【００３３】
振動押洗装置が直立垂直位置（起立位置）にある時にのみ、ドラムが回転されることができ、ドラムが回転を完全に停止した後にのみ、振動押洗装置が水平位置まで旋回される。このように、振動押洗装置が水平位置になり、洗濯物を押し洗うこと、又は、振動することによって、洗濯物の洗濯を実現する。
【００３４】
振動押洗装置は、水中の洗濯物を一次振動押洗洗濯した後、振動押洗装置が自動的に上方へ旋回し（起立するような状態）、振動押洗装置が所定の位置（起立する状態の位置）に旋回した後、洗濯物が翻転・引っ繰り返すために、ドラムが数回低速で回転する。
【００３５】
ドラムの数回低速回転が停止した後、振動押洗装置は、再び下げられ（水平位置になる）、振動する。このサイクルが繰り返され（プログラムの洗濯に従う）、洗濯物の洗濯プロセスが完了する。
【００３６】
洗濯プロセスが完了した後、洗濯機は、数回の排水、給水、ドラムの複数回間歇的な回転を行い、振動押洗装置も複数回の間歇的な旋回および振動を行い、洗濯物のすずき過程が完了する。
【００３７】
すずき過程が完了した後、振動押洗装置が上向きの位置（起立する状態）に維持され、ドラムが高速回転して洗濯物を脱水する。
【００３８】
脱水過程が完了した後、洗濯機は、プロセス完了ブザーが鳴り、この時、扉を開いて洗濯後の洗濯物を取り出すことができる。
【００３９】
なお、本発明の実施形態は、本明細書及び図面に記載されているが、本発明は、様々な形態で実施することができ、記載した実施形態に限定されるものではない。また、実施例は、本明細書が開示した内容をより理解するための目的で提供されている。上記の様々な技術的特徴をさらに組み合わせることによって、記載していない様々な実施形態を構成することもできる。それらは、本発明の説明の範囲と見なすことができる。さらに、当業者は、上記の説明に従って、改良または変更することができ、その改良および修正は、添付の特許請求の範囲内に含まれる。
【図１】
2021506534.tif 000003
【図２】
2021506534.tif 000004
【図３】
2021506534.tif 000005
【国際調査報告】
2021506534.tif 000006
2021506534.tif 000007
2021506534.tif 000008
2021506534.tif 000009